(57)【要約】【課題】簡易な構成により複数の可動体間から前方に漏れ出る光を防止し、動作後の可動体の見栄えを向上することが可能な可動役物装置を備えた遊技機を提供することにある。【解決手段】複数の可動体の接近動作時において対向する両壁部の一方には、他方の壁部に向けて突出する第１遮蔽凸部が設けられ、両壁部の他方には、一方の壁部に向けて突出する第２遮蔽凸部が設けられ、第１遮蔽凸部及び第２遮蔽凸部は、互いに前後方向に位置ずれし、かつ、突出方向で重複する重複領域を有している構成とした。【選択図】図１１
2015047447.tif 000002
【特許請求の範囲】
【請求項１】
遊技の演出に係る演出画像を表示可能な演出表示装置と、
前記演出表示装置の表示画面の前方において互いに接近又は離間可能な複数の可動体と、当該複数の可動体を接近動作させ、接近した複数の可動体により前記表示画面の一部を覆う状態とする駆動機構と、を有する可動役物装置と、
を備えた遊技機であって、
前記複数の可動体の接近動作時において対向する両壁部の一方には、他方の壁部に向けて突出する第１遮蔽凸部が設けられ、
前記両壁部の他方には、一方の壁部に向けて突出する第２遮蔽凸部が設けられ、
前記第１遮蔽凸部及び第２遮蔽凸部は、互いに前後方向に位置ずれし、かつ、突出方向で重複する重複領域を有していることを特徴とする遊技機。
【請求項２】
前記可動体は、複数の光源が実装された回路基板を保持する保持プレートと、
前記回路基板に対して重ね合されたレンズプレートと、
前記保持プレートと係合し、前記回路基板及びレンズプレートを収容するカバープレートとを備え、
前記第１遮蔽凸部が前記複数の可動体の接近動作時において対向するレンズプレートの両壁部の一方に設けられ、
前記第２遮蔽凸部が前記複数の可動体の接近動作時において対向するカバープレートの両壁部の他方に設けられたことを特徴とする請求項１に記載の遊技機。
【請求項３】
前記駆動機構が、前記表示画面の相互に対向するいずれか一方側に配設されたベース部材と、
前記ベース部材に所定間隔を存して回転可能に支持された一対の回転体と、
これら回転体を互いに逆向きに回転するモータと、
前記両回転体の回転に伴って揺動する一対の同期アームと、を備え、
前記両同期アームの一端部に互いに逆向きに揺動するように噛合されたギアがそれぞれ設けられており、これらギアの中心部が前記ベース部材に回転可能に軸支されていると共に、前記両同期アームの他端部がそれぞれ前記可動体に設けられたカム孔に係合しており、これら可動体の一端側を結合部で開閉可能に連結することにより、前記両同期アームの揺動に伴って前記結合部が前記表示画面の前方を上下方向へ移動し、前記可動体が前記表示画面の一部を覆う状態となることを特徴とする請求項１又は請求項２に記載の遊技機。
【発明の詳細な説明】
【技術分野】
【０００１】
本発明は、遊技機に設けられる可動役物装置に関し、特に合体動作によって演出表示画面の一部を覆うことが可能な可動体を備えた可動役物装置に関する。
【背景技術】
【０００２】
遊技機の一例としてのパチンコ機には、遊技盤の遊技領域に演出表示装置や始動入賞口やアタッカ装置等を設け、遊技領域に向けて発射された遊技球が始動入賞口に入賞したことを契機に電子抽選を行い、その抽選結果に基づいて演出表示装置が演出図柄の変動表示および変動停止を行うようにした機種が数多く存在する。電子抽選の抽選結果には「当り」と「ハズレ」とがあり、抽選結果が当りの場合には、演出表示装置の表示画面に当りであることを示す特定の図柄が表示され、通常モードから特別遊技モード（所謂「大当り」）へと移行する。この特別遊技モードでは、アタッカ装置の開閉扉が開放動作して大入賞口を露呈させるので、露呈した大入賞口に遊技球が入りやすくなって遊技者は多くの賞球を比較的短時間で集中的に獲得できるようになる。
【０００３】
この種のパチンコ機において、可動態様を変化させることができる可動体を演出表示装置の周囲の任意位置に配置し、電子抽選の抽選結果に基づく演出表示装置の表示内容と可動体の可動態様とを組み合わせることにより、興趣性の高い演出を行うようにした可動役物装置が広く採用されている。
【０００４】
このような可動役物装置の一例として特許文献１に開示された可動役物装置においては、演出表示装置の表示画面の両側部に一対の可動体を出没可能に配設し、一対の可動体を同期又は非同期に表示画面中央側に移動させることにより一対の可動体を合体させ、表示画面の前面の一部又は全部を覆うようにする構成が開示されている。本構成によれば、演出表示装置の表示画面上で展開される演出図柄の変動に伴う演出と、一対の可動体の合体動作による演出との両演出によって上記電子抽選の結果が表示されるまでの間の興趣を向上させることができる。
【先行技術文献】
【特許文献】
【０００５】
【特許文献１】特許第４７０４７４７号公報
【発明の概要】
【発明が解決しようとする課題】
【０００６】
しかしながら、上記可動役物装置においては、一対の可動体を所定の位置まで移動させ、両可動体を合体させて単一のパネル体とする構成上、その合せ面において隙間が生じ易く、当該隙間から、後方に位置する表示画面より発せられる光（バックライト）が前方に漏れ、可動体合体後の見栄えが悪くなるという不都合が生じる。また、上記隙間の大きさは、可動体を動作させる駆動機構の経年劣化等により拡大する傾向にあり、長期の使用によって見栄えが一層悪化する。
また、上記隙間を防ぐ策として、合せ面に磁石や電磁石を配設すること等により、合せ面を隙間なく突き合わせることも考えられるが、これらの部材を配設することによる装飾領域の縮小化、及び電磁石を励磁するための制御回路が別途必要となる等、機構が複雑化する。
【０００７】
本発明は、このような従来技術の実情に鑑みてなされたもので、その目的は、簡易な構成により複数の可動体間から前方に漏れ出る光を防止し、動作後の可動体の見栄えを向上することが可能な可動役物装置を備えた遊技機を提供することにある。
【課題を解決するための手段】
【０００８】
上記の目的を達成するために、遊技の演出に係る演出画像を表示可能な演出表示装置と、演出表示装置の表示画面の前方において互いに接近又は離間可能な複数の可動体と、当該複数の可動体を接近動作させ、接近した複数の可動体により表示画面の一部を覆う状態とする駆動機構とを有する可動役物装置とを備えた遊技機であって、複数の可動体の接近動作時において対向する両壁部の一方には、他方の壁部に向けて突出する第１遮蔽凸部が設けられ、両壁部の他方には、一方の壁部に向けて突出する第２遮蔽凸部が設けられ、第１遮蔽凸部及び第２遮蔽凸部は、互いに前後方向に位置ずれし、かつ、突出方向で重複する重複領域を有する構成とした。
また、他の構成として、可動体は、複数の光源が実装された回路基板を保持する保持プレートと、回路基板に対して重ね合されたレンズプレートと、保持プレートと係合し、回路基板及びレンズプレートを収容するカバープレートとを備え、第１遮蔽凸部が複数の可動体の接近動作時において対向するレンズプレートの両壁部の一方に設けられ、第２遮蔽凸部が複数の可動体の接近動作時において対向するカバープレートの両壁部の他方に設けられた構成とした。
また、他の構成として、駆動機構が、表示画面の相互に対向するいずれか一方側に配設されたベース部材と、ベース部材に所定間隔を存して回転可能に支持された一対の回転体と、これら回転体を互いに逆向きに回転するモータと、両回転体の回転に伴って揺動する一対の同期アームとを備え、両同期アームの一端部に互いに逆向きに揺動するように噛合されたギアがそれぞれ設けられており、これらギアの中心部がベース部材に回転可能に軸支されていると共に、両同期アームの他端部がそれぞれ可動体に設けられたカム孔に係合しており、これら可動体の一端側を結合部で開閉可能に連結することにより、両同期アームの揺動に伴って結合部が表示画面の前方を上下方向へ移動し、可動体が表示画面の一部を覆う状態となる構成とした。
なお、上記発明の概要は、本発明の必要な特徴の全てを列挙したものではなく、特徴群を構成する個々の構成もまた発明となり得る。
【発明の効果】
【０００９】
本発明に係る遊技機の可動役物装置においては、簡易な構成とされた第１遮蔽凸部及び第２遮蔽凸部により、可動体の後方に位置する表示画面から照射される光が複数の可動体間から前方に漏れ出ることが防止され、接近動作時の可動体の見栄えを向上させることが可能となる。
【図面の簡単な説明】
【００１０】
【図１】パチンコ機の外観を示す斜視図である。
【図２】図１に示すパチンコ機に備えられる遊技盤の裏面図である。
【図３】図１に示すパチンコ機に備えられる遊技盤の正面図である。
【図４】可動役物装置の非動作状態を示す正面図である。
【図５】可動役物装置の非動作状態を示す裏面図である。
【図６】可動役物装置が動作状態にあるときの正面図である。
【図７】可動役物装置が動作状態にあるときの遊技盤の正面図である。
【図８】可動役物装置の要部を示す説明図である。
【図９】可動体の分解斜視図である。
【図１０】可動体が閉鎖状態にあるときの斜視断面図である。
【図１１】可動体が閉鎖状態にあるときの横断面図である。
【図１２】可動体が閉鎖状態にあるときの横断面図である（変形例）。
【図１３】可動体の斜視図である（他の形態）。
【図１４】可動体が閉鎖状態にあるときの横断面図である（他の形態）。
【発明を実施するための形態】
【００１１】
発明の実施の形態について図面を参照して説明すると、図１に示すように、本発明の実施形態例に係る可動役物装置が適用された遊技機（パチンコ機）は、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１２】
機枠１の左下隅部には大型のスピーカ５が配設されており、このスピーカ５は前面扉３の切り欠き内に位置して前方に露出している。本体枠２の上部内側には後述する遊技盤６が収納されており、この遊技盤６の盤面（前面）は透明板４を透して外部から目視可能となっている。また、本体枠２の右側枠部にはシリンダ錠７ａを有する施錠装置７が設置されており、図示省略されているが、この施錠装置７は本体枠２の裏面に配置された後部施錠杆と本体枠２の前面に配置された前部施錠杆とを備えている。常態では、施錠装置７の後部施錠杆によって機枠１に対して本体枠２が施錠されると共に、前部施錠杆によって本体枠２に対して前面扉３が施錠されている。そして、シリンダ錠７ａの鍵穴に図示せぬ鍵を差し込み、この鍵を一方向（例えば時計回り）へ回動すると、後部施錠杆が下動して本体枠２が開錠されるようになっている。また、シリンダ錠７ａの鍵穴に差し込んだ鍵を他方向（反時計回り）へ回動すると、前部施錠杆が上動して前面扉３が開錠されるようになっている。
【００１３】
前面扉３の前面上部には比較的小型のスピーカ８が左右に１個ずつ配設されており、これらスピーカ８と前述した大型のスピーカ５とによって遊技に関する様々な効果音を発するようになっている。さらに、前面扉３の前面下部には、遊技盤６の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１等が設けられており、上段受皿９の右側方には操作ハンドル１２が配設されている。
【００１４】
機枠１の左側枠部には上側軸受け体１３と下側軸受け体１４が固着されており、これら両軸受け体１３，１４に本体枠２の左側枠部の上下両端に設けた第１ピン（図示省略）を軸支することによって、本体枠２を機枠１に対して開閉自在に支持する第１ヒンジ機構が構成されている。一方、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。また、本体枠２の上部内側は遊技盤６の収納スペースとなっており、この収納スペースの下方は前面扉３によって覆い隠される設置部となっている。当該設置部内の下部中央には遊技球を遊技盤６の遊技領域２３に向けて発射する図外の発射装置が配設されており、前述した操作ハンドル１２の回動操作量に応じて発射装置の発射強度が調整されるようになっている。
【００１５】
図２に示すように、遊技盤６の裏面側には、遊技に関する主要な処理を行う主制御処理部１６と、主制御処理部１６からの指令を受けて前述したスピーカ５，８や後述する演出表示装置や可動役物装置等の各種装置を制御する副制御処理部１７と、前述した賞球払出装置１８と、主制御処理部１６からの指令を受けて賞球払出装置１８を制御する払出制御処理部１９と、操作ハンドル１２の回動操作量に応じて発射装置の作動を制御する発射制御処理部２０と、賞球数や大当たり回数等の各種情報を遊技場のホールコンピュータに出力する外部端子基板２１等が設けられている。主制御処理部１６は、ＣＰＵ（Ｃｅｎｔｒａｌ  Ｐｒｏｃｅｓｓｉｎｇ  Ｕｎｉｔ）と、予め定められた制御プログラムを格納するＲＯＭ（Ｒｅａｄ  Ｏｎｌｙ  Ｍｅｍｏｒｙ）と、生成された処理情報の一時記憶および記憶した情報の削除を行うＲＡＭ（Ｒａｎｄｏｍ  Ａｃｃｅｓｓ  Ｍｅｍｏｒｙ）等が実装された制御基板（メイン基板）とを備えており、このＣＰＵがＲＯＭに格納された各種プログラムやデータを読み込んで実行することにより、遊技に関する主要な処理が行われる。
【００１６】
次に、遊技盤６の構成について説明する。図３に示すように、遊技盤６の前面はガイドレール２２等によって略円形状に区画された遊技領域２３となっており、遊技者が操作ハンドル１２を任意角度まで回動操作すると、発射装置が上段受皿９に保留された遊技球を遊技領域２３に向けて連続的に打ち出すようになっている。遊技領域２３の上部中央付近にはセンター役物２４が配置されている。センター役物２４は、中央部に矩形状の開口部２５ａを有する装飾枠２５と、装飾枠２５の下壁部に配設された後述する可動役物装置２６（図４等参照）と、装飾枠２５の裏面側に配置された演出表示装置２７等を具備している。演出表示装置２７は液晶パネル（ＬＣＤ）からなり、その表示画面２７ａは装飾枠２５の開口部２５ａから前方に臨む。
【００１７】
装飾枠２５の下壁部には左右方向へ略Ｖ字形状に延びるステージ２８が設けられており、このステージ２８の中央部には誘導口２８ａが形成されている。また、装飾枠２５の左側壁には中空構造のワープ通路２９が形成されており、このワープ通路２９の両端は遊技領域２３とステージ２８に向けてそれぞれ開口している。したがって、センター役物２４の左側の遊技領域２３を流下する遊技球がワープ通路２９に入球すると、その遊技球はワープ通路２９の内部を通ってステージ２８に排出された後、ステージ２８上を転動して誘導口２８ａへと導かれる。
【００１８】
ステージ２８の誘導口２８ａの真下位置には上面を開口した振分装置３０が配設されており、ステージ２８上を転動して誘導口２８ａから落下した遊技球が高い確率で振分装置３０の入口に流入するようになっている。振分装置３０は下方側に２つの出口を有しており、各出口の真下にそれぞれ第１始動入賞口３１と第２始動入賞口３２が配設されている。図示省略されているが、振分装置３０の内部には二股球通路とシーソ状の振分機構が収納されており、この振分機構によって振分装置３０の入口から流入した遊技球は二股球通路を介して第１始動入賞口３１と第２始動入賞口３２とに交互に導かれるようになっている。第１および第２始動入賞口３１，３２は外観上同じように構成されているが、第１始動入賞口３１は上端に入口を有する単純構造の始動入賞口であるのに対し、第２始動入賞口３２は上部に一対の可動片を有する電動チューリップ構造の始動入賞口となっている。そして、これら第１および第２始動入賞口３１，３２のいずれか一方に遊技球が入賞すると、それを契機として特別図柄に係る電子抽選が行われ、その抽選結果に基づいて演出表示装置２７の表示画面２７ａ上で演出用図柄の変動表示および停止表示が行われる。また、装飾枠２５の右下隅部にスルーチャッカ３３が配設されており、センター役物２４の右側の遊技領域２３に打ち出された遊技球がこのスルーチャッカ３３を通過すると、それを契機として普通図柄に係る電子抽選が行われ、その抽選結果が当たりの場合に第２始動入賞口３２の両可動片を一時的に開放して遊技球の入賞を許可するようになっている。
【００１９】
さらに、ステージ２８の右斜め下方位置にはアタッカ装置３４が配設されており、このアタッカ装置３４は内部の大入賞口を開閉可能な横長形状の開閉扉を有している。アタッカ装置３４は、第１および第２始動入賞口３１，３２のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が当たりの場合、アタッカ装置３４の開閉扉が複数回繰り返して開放動作することにより、大入賞口を露呈させて遊技球の入賞を許可するようになっている。開閉扉は１回の開放動作（１ラウンド）について例えば３０秒経過するまで、あるいは遊技球が大入賞口に例えば１０個入るまで開放状態を維持し、かかる開放動作を例えば１５回繰り返した後に大当たり遊技が終了する。
【００２０】
その他、遊技領域２３には、入賞に対する賞品として遊技球の払い出しのみを行う複数の一般入賞口３５や、遊技球の流下経路を担う風車と複数本の遊技釘（図示せず）等が配設されており、いずれの始動入賞口３１，３２や一般入賞口３５およびアタッカ装置３４にも入賞しなかった遊技球は、遊技領域２３の最下端部に設けられたアウト口３６から遊技盤６の裏面側に排出されるようになっている。
【００２１】
可動役物装置２６は、前述した特別図柄に係る電子抽選の結果を可動体の可動態様や光源の照光態様によって遊技者に示唆させることができる装置であり、可動役物装置２６による演出は主制御処理部１６が動作を決定し、決定した動作に基づいて副制御処理部１７に制御信号を送ることにより実行される。副制御処理部１７は、主制御処理部１６から送られた制御信号に基づいて、可動体の駆動源であるモータと光源であるＬＥＤとにそれぞれ駆動信号を送る。これによりモータを回転させて可動体が所定の動作を行ったり、ＬＥＤを発光させて可動体が照光するようになっている。以下、可動役物装置２６の構造と動作について説明する。
【００２２】
可動役物装置２６について図４〜図１１を参照しながら詳細に説明すると、可動役物装置２６は、一対の逃げ孔３８ａ，３８ｂを有する横長矩形状のベース部材３８と、ベース部材３８の前面下辺側に取り付けられた一対のモータ３９，４０と、ベース部材３８の前面中央部に回転可能に軸支された左右一対の同期アーム４１，４２と、各同期アーム４１，４２の先端部に連結された左右一対の可動体４３，４４と、各可動体４３，４４の上端部に連結された昇降体４５と、ベース部材３８の裏面側に左右方向へ所定間隔を存して回転可能に軸支された左右一対の回転体４６，４７と、各回転体４６，４７の近傍に軸支された一対の中継ギア４８，４９等により主として構成されている。
【００２３】
ベース部材３８は演出表示装置２７を包囲する遊技盤６の下部にネジ止め等の固定手段を用いて取り付けられており、ステージ２８の裏面側に位置して外部から見えないようになっている。一対のモータ３９，４０の出力軸はベース部材３８の裏面側に突出しており、これら出力軸にはそれぞれ歯車５０，５１が固着されている。
【００２４】
一対の同期アーム４１，４２の一端側には扇形ギア４１ａ，４２ａが形成されており、これら扇形ギア４１ａ，４２ａの中心がベース部材３８に軸支されている。両同期アーム４１，４２の扇形ギア４１ａ，４２ａは噛合しており、ベース部材３８には両扇形ギア４１ａ，４２ａの噛合箇所を覆うように保持体５２が取り付けられている。図４に示すように、これら扇形ギア４１ａ，４２ａの軸回りには同期アーム４１，４２の交差角度を狭める方向へ付勢するトーションばね５３，５４が巻回されており、一方のトーションばね５３は左側の同期アーム４１と保持体５２との間に掛止めされ、他方のトーションばね５４は右側の同期アーム４２と保持体５２との間に掛止めされている。また、両同期アーム４１，４２の他端側にはガイドピン４１ｂ，４２ｂが設けられ、両同期アーム４１，４２の中央付近には長孔４１ｃ，４２ｃが設けられている。
【００２５】
一対の可動体４３，４４は頂部にアールを付けた山形状（お椀形状）をしており、両可動体４３，４４の一端側は結合部５５を中心として開閉可能に連結されている。両可動体４３，４４の表面にはハートを半割りにした意匠が施されており、後述するように、両可動体４３，４４が演出表示装置２７の表示画面２７ａの前方に露出したとき、両可動体４３，４４の半割り形状の意匠が合体してハートを模るようになっている（図７参照）。両可動体４３，４４の裏面側にはカム孔４３ａ，４４ａが設けられており、各カム孔４３ａ，４４ａに同期アーム４１，４２のガイドピン４１ｂ，４２ｂがそれぞれ摺動自在に挿入されている。ここで、カム孔４３ａ，４４ａは結合部５５を中心とする仮想円に沿って円弧状に延びており、図８に示すように、かかるカム孔４３ａ，４４ａの延出方向をＱ１（一点鎖線参照）、扇形ギア４１ａ，４２ａを中心とするガイドピン４１ｂ，４２ｂの回動軌跡をＱ２（二点鎖線参照）とすると、Ｑ１とＱ２とは交差するように設定されている。これにより、一対の同期アーム４１，４２が扇形ギア４１ａ，４２ａを中心として互いに逆向きに回転（揺動）すると、曲線Ｑ２上を回動するガイドピン４１ｂ，４２ｂがカム孔４３ａ，４４ａの内周面を押圧するため、この押圧力を受けて結合部５５が上下方向（図８のＹ１−Ｙ２方向）へ移動し、それに伴って一対の可動体４３，４４が結合部５５を中心に回転して両者の開閉角度が変化する。
【００２６】
可動体４３，４４と同期アーム４１，４２とはＬ字状の保持アーム５６，５７を介して連結されており、これら保持アーム５６，５７の両端部を可動体４３，４４の外縁部と同期アーム４１，４２との中央部に回転可能に軸支することにより、可動体４３，４４のがたつきが抑制されている。また、詳細については後述するが、両可動体４３，４４の内部にはＬＥＤ（光源）を実装した回路基板６４，６５が収納されていると共に、ＬＥＤに電力を供給するためのワイヤーハーネスが裏面側に導出されており、これらワイヤーハーネスが中空構造の保持アーム５６，５７の内部を通って保持体５２の近傍まで引き回されるようになっている。すなわち、これら保持アーム５６，５７は、両可動体４３，４４のがたつきを抑制するという機能の他に、ワイヤーハーネスの引き回しルートを確保するという機能を併せ持っている。
【００２７】
次に、図９〜図１１を参照して、一対の可動体４３，４４の内部構造について説明する。同図に示すように、可動体４３，４４は、前述のカム孔４３ａ，４４ａが形成され、ハートを半割りにした外郭形状を呈する保持プレート６０，６１と、当該保持プレート６０，６１の前面側に収容され、同じくハートを半割りにした外郭形状を呈する回路基板６４，６５と、当該回路基板６４，６５の前面側に重ね合されるレンズプレート６８，６９と、保持プレート６０，６１と前後方向に係合し、回路基板６４，６５及びレンズプレート６８，６９をそれぞれ前方から覆うカバープレート７０，７１とを主たる構成としてなる。
【００２８】
保持プレート６０，６１の外周縁には、その下半部に渡って延在するリブ６０ａ，６１ａが前方に突設されており、リブ６０ａ，６１ａによって囲まれた収容部内に回路基板６４，６５がそれぞれ収容，位置決めされる。回路基板６４，６５の前面側には、複数の発光源としてのＬＥＤが前方に向けて突設されている。複数のＬＥＤによって照射される光は、前方に位置するレンズプレート６８，６９によって拡散し、多様な意匠が施されたカバープレート７０，７１の後面側を照らす。そして、遊技者がカバープレート７０，７１を前方から視認した場合、カバープレート７０，７１の一部に形成された光透過部を介して多様な色彩の光を視認することができる。
なお、前述のとおり、ＬＥＤの発光制御は、副制御処理部１７から出力される駆動信号によって行われる。
【００２９】
レンズプレート６８，６９は、光透過性の樹脂よりなる板体であって、回路基板６４，６５の略全域と対応して重ね合される。レンズプレート６８，６９の表裏面には、不規則に隆起するレンズ加工が施されており、レンズプレート６８，６９内を通過する光は、その表面形状に対応して拡散し、前方に位置するカバープレート７０，７１を照らし出す。また、レンズプレート６８，６９には、後方に位置する回路基板６４，６５に実装された複数のＬＥＤの位置と対応する複数の逃げ孔６４ａ，６５ａが設けられており、回路基板６４，６５に対してそれぞれレンズプレート６８，６９が重ね合されると、各ＬＥＤが複数の逃げ孔６４ａ，６５ａ内に位置することとなる。
【００３０】
カバープレート７０，７１は、ＬＥＤからの光が前方に透過可能な光透過部、及び光遮蔽部を有する板体であって、前述のとおりその前面には多様な造形処理による意匠が施されている。また、カバープレート７０，７１外周縁には、その上半部に亘って延在するリブ７０ａ，７１ｂが後方に向けて突設されており、前述の保持プレート６０，６１に突設されたリブ６０ａ，６１ａと前後方向に組み合わされることにより、レンズプレート６８，６９における弧状の外側面６８ａ，６９ａの周囲が保持プレート６０，６１及びカバープレート７０，７１によって包囲される。
【００３１】
次に、上記構成からなる可動体４３，４４に設けられた光遮蔽手段について説明する。
図１０，図１１は、可動体４３，４４が結合部５５を中心に回転し、両者の開閉角度が最も狭くなった状態（閉鎖状態（図６，図７参照））を示す斜視断面図及び横断面図（ともに図９のＡ−Ａ断面）である。同図に示すように、可動体４３，４４が閉鎖状態となった場合に、保持プレート６０，６１において左右方向に対向して接近する側壁６０ｂ，６１ｂの外側面６０ｃ，６１ｃ間、及びレンズプレート６８，６９において左右方向に対向して接近する側壁６８ｂ，６９ｂの外側面６８ｃ，６９ｃ間には僅かな隙間が生じるが、本実施形態における可動体４３，４４には、光遮蔽手段が設けられているため、可動体４３，４４が閉鎖状態となった場合において上記隙間を介して後方に位置する演出表示装置２７の表示画面２７ａからの光が前方に漏れ出ることがない。以下、光遮蔽手段について説明する。
【００３２】
本実施形態において光遮蔽手段は、レンズプレート６９の外側面６９ｃから、レンズプレート６８の外側面６８ｃに向けて突出する第１遮蔽凸部８０と、カバープレート７０において、後方に位置するレンズプレート６８の外側面６８ｃを超えてカバープレート７１の側面７１ｃ側に突出する第２遮蔽凸部８５とから構成される。
【００３３】
第１遮蔽凸部８０は、側壁６９ｂの長手方向（図８のＹ１−Ｙ２方向）に沿って連続して延在する突起であって、外側面６９ｃからの突出寸法Ｌ１は、可動体４３，４４の回転中心としての結合部５５を基準として、下方（Ｙ２方向）に向かうに従って漸次増加するように設定されている。図１１に示すように、第１遮蔽凸部８０の突出寸法Ｌ１は、上端部（Ｙ１方向）における外側面６９ｃからの寸法であり、第１遮蔽凸部８０の突出寸法Ｌ１´は、下端部（Ｙ２方向）における外側面６９ｃからの寸法である。また、増加寸法Ｄは、突出寸法Ｌ１´から突出寸法Ｌ１を差し引いた寸法である（Ｌ１´−Ｌ１）。
このように、突出寸法Ｌ１を下方（Ｙ２方向）に向かうに従って漸次増加するように設定することにより、回転中心としての結合部５５から離れるに従って隙間が生じ易くなる自由端側（図８のＹ２方向）を第１遮蔽凸部８０によって効果的に遮蔽することが可能となる。また、第１遮蔽凸部８０は、レンズプレート６９の材質とは異なる光非透過性の部材により形成されており、保持プレート６０，６１の外側面６０ｃ，６１ｃの隙間を介して進入する光を遮蔽する。
【００３４】
カバープレート７０に形成された第２遮蔽凸部８５は、カバープレート７１と対比した場合に左右方向の幅が僅かに長く設定された部位（図１０，１１の二点鎖線参照）であり、カバープレート７１の側面７１ｃが後方のレンズプレート６９の外側面６９ｃと略面一で終端しているのに対して、第２遮蔽凸部８５は、後方のレンズプレート６８の外側面６８ｃを超えて終端している。換言すれば第２遮蔽凸部８５は、後方に位置するレンズプレート６８の外側面６８ｃを基準としてカバープレート７１側に突出する部位である。
また、第２遮蔽凸部８５は、カバープレート７０の長手方向（図８のＹ１−Ｙ２方向）に沿って一定の寸法で連続して延在する。また、第２遮蔽凸部８５は、光遮蔽部として形成されており、矢印Ｘ１で示すように、後方に位置する第１遮蔽凸部８０の端面と外側面６８ｃとの間に極めて僅かに生じ得る隙間を介して進入する光を確実に遮蔽する。
つまり、第２遮蔽凸部８５は、後方に位置する第１遮蔽凸部８０との関係において、その位置が前後方向にズレて配置されているとともに、その突出方向が逆に設定されている。
また、第１遮蔽凸部８０と第２遮蔽凸部８５とは、その突出方向において前後方向に重なる重複領域Ｒ１を有するように設定されており、後方に位置する第１遮蔽凸部８０では遮蔽し切れない光を前方に位置する第２遮蔽凸部８５によって補完的に遮蔽する機能を有する。なお、本例においてはカバープレート７０の左右方向の寸法を、カバープレート７１の寸法に比して僅かに大きく設定することにより第２遮蔽凸部８５を形成したが、これに限られるものではなく、第２遮蔽凸部８５をカバープレート７０と別体の部材により形成し、カバープレート７０の側面に対して別体として形成した第２遮蔽凸部８５を取着する構成としてもよい。
【００３５】
次に、図４乃至図９を参照し、昇降体４５について説明する。昇降体４５は蝶を模った意匠部品であり、その表面にロゴマーク等の意匠が施されている。昇降体４５は両可動体４３，４４の結合部５５に回転可能に軸支されると共に、昇降体４５と可動体４３，４４とは一対の補助アーム５８，５９を介して連結されている。これら補助アーム５８，５９の一端側にはギア５８ａ，５９ａが形成されており、各ギア５８ａ，５９ａの中心部分を昇降体４５の裏面側に軸支すると共に、両ギア５８ａ，５９ａを結合部５５の上方で噛合させている。また、両補助アーム５８，５９の他端側にはガイド孔５８ｂ，５９ｂが形成されており、これらガイド孔５８ｂ，５９ｂに可動体４３，４４の外縁部に設けた突起４３ｂ，４４ｂが摺動自在に挿入されている。したがって、結合部５５の上下動に伴って両可動体４３，４４の開閉動作が変化すると、突起４３ｂ，４４ｂにガイド孔５８ｂ，５９ｂを係合させた両補助アーム５８，５９が互いに逆向きに揺動し、昇降体４５は結合部５５と一緒に上下方向へ移動する。
【００３６】
一対の回転体４６，４７は外周面に複数の歯部を有するギアであり、これら回転体４６，４７には径方向外側へ突出する駆動アーム４６ａ，４７ａが設けられている。両駆動アーム４６ａ，４７ａは先端側に突起４６ｂ，４７ｂを有しており、これら突起４６ｂ，４７ｂはベース部材３８の逃げ孔３８ａ，３８ｂを挿通して同期アーム４１，４２の長孔４１ｃ，４２ｃに係合している。なお、両逃げ孔３８ａ，３８ｂは回転体４６，４７の回転軸を中心とする仮想円に沿って円弧状に延びているため、回転体４６，４７の回転に伴って突起４６ｂ，４７ｂは逃げ孔３８ａ，３８ｂ内をスムーズに移動することができる。
【００３７】
一対の中継ギア４８，４９には径方向外側へ突出する検知アーム４８ａ，４９ａが設けられており、ベース部材３８の裏面側には検知アーム４８ａ，４９ａの有無を検出する一対のフォトセンサ７２，７３が配設されている。一方の中継ギア４８は回転体４６と歯車５０との間に介設されており、一方のモータ３９の回転がこの中継ギア４８を介して回転体４６に伝達されるようになっている。他方の中継ギア４９は回転体４７と歯車５１との間に介設されており、他方のモータ４０の回転がこの中継ギア４９を介して回転体４７に伝達されるようになっている。
【００３８】
このように構成された可動役物装置２６は、通常、駆動源である両モータ３９，４０に通電されていない非動作状態で停止しており、図３に示すように、一対の可動体４３，４４と昇降体４５はいずれもベース部材３８の前面側に収納されて外部から見えないようになっている。
【００３９】
図４，図５は、かかる可動役物装置２６の非動作状態を示す。この非動作状態で左右一対の可動体４３，４４は結合部５５を中心に最大角度（約１３５度）で開いており、この場合、結合部５５は図８の矢印Ｙ２方向の最下端位置にあり、両補助アーム５８，５９は略水平な姿勢で両可動体４３，４４と昇降体４５とを連結している。また、両回転体４６，４７の突起４６ｂ，４７ｂはそれぞれ逃げ孔３８ａ，３８ｂの下端部を挿通して長孔４１ｃ，４２ｃに係合しており、同期アーム４１，４２は両者の開き角度を最大にした状態で停止している。さらに、両中継ギア４８，４９の検知アーム４８ａ，４９ａはフォトセンサ７２，７３と重なる位置で停止しており、これらフォトセンサ７２，７３の出力信号に基づいて中継ギア４８，４９の原点位置を検出できるようになっている。
【００４０】
この状態でモータ３９，４０が正逆いずれかの方向に回転すると、その回転が歯車５０，５１と中継ギア４８，４９を介して回転体４６，４７に伝達されるため、図４，図６に示すように、逃げ孔３８ａ，３８ｂ内を上端部に向かって回動する突起４６ｂ，４７ｂが長孔４１ｃ，４２ｃの内周縁を押圧し、それに伴って両同期アーム４１，４２が扇形ギア４１ａ，４２ａを中心に回転（揺動）して両者の開き角度を次第に狭めていく。そして、このように両同期アーム４１，４２が両者の開き角度を狭める方向に揺動すると、同期アーム４１，４２のガイドピン４１ｂ，４２ｂが図８の曲線Ｑ２上を回動してカム孔４３ａ，４４ａの内周面を押圧するため、この押圧力を受けて結合部５５が上方（図８の矢印Ｙ１方向）へ移動し、それに伴って一対の可動体４３，４４が結合部５５を中心に回転して両者の開き角度を狭めていく。
【００４１】
また、両可動体４３，４４の回転に伴って昇降体４５は結合部５５と一緒に上方へ移動するが、突起４３ｂ，４４ｂがガイド孔５８ｂ，５９ｂ内を移動することにより、両補助アーム５８，５９がギア５８ａ，５９ａを中心に逆向きに回転（揺動）するため、両可動体４３，４４の開閉角度に拘わらず昇降体４５の姿勢は維持される。その結果、昇降体４５がステージ２８の後方中央部から表示画面２７ａ前方の画像表示面に沿う表示フレーム内に迫り出し、それに連れて両可動体４３，４４の上部もステージ２８の後方から表示画面２７ａの画像表示面に沿った表示フレーム内に迫り出すため、昇降体４５の全部と両可動体４３，４４の一部がベース部材３８から表示画面２７ａの画像表示面に沿って突出して表示画面２７ａの下部領域に露出する。
【００４２】
この状態からモータ３９，４０がさらに同一方向へ回転すると、回転体４６，４７の突起４６ｂ，４７ｂが逃げ孔３８ａ，３８ｂの上端部まで回動するため、これら突起４６ｂ，４７ｂからの押圧力を受けて両同期アーム４１，４２が対向する位置まで揺動する。これにより結合部５５が同期アーム４１，４２のガイドピン４１ｂ，４２ｂからの押圧力を受けて図８の矢印Ｙ１方向の最上端位置まで移動し、それに伴って両可動体４３，４４が開き角度を最小（ゼロ）とする位置（閉鎖状態）まで回転すると共に、昇降体４５も結合部５５と一緒に最上端位置まで移動する。その結果、図７に示すように、昇降体４５が表示画面２７ａの上部付近まで露出すると共に、左右の可動体４３，４４が表示画面２７ａの上部から下部領域に亘って露出し、両可動体４３，４４の意匠が合体することで表示画面２７ａの前面にハート形状が現れる。またこのとき、前述した光遮蔽手段によって閉鎖状態にある両可動体４３，４４からは、後方に位置する演出表示装置２７の表示画面２７ａの光が漏れることはない。
【００４３】
なお、このように同期アーム４１，４２が回転体４６，４７の突起４６ｂ，４７ｂからの押圧力を受けて開き角度を狭める方向へ揺動するとき、同期アーム４１，４２の同方向への揺動動作がトーションばね５３，５４の付勢力によってアシストされるため、総重量が大きな両可動体４３，４４と昇降体４５を同期アーム４１，４２の揺動に伴って確実に表示画面２７ａの前面に露出させることができる。
【００４４】
また、両可動体４３，４４と昇降体４５とが図７に示す上昇位置まで移動した後にモータ３９，４０を上記と逆方向に回転すると、回転体４６，４７の突起４６ｂ，４７ｂが逃げ孔３８ａ，３８ｂの上端部から下端部に向かって回動し、これら突起４６ｂ，４７ｂからの押圧力を受けて両同期アーム４１，４２が両者の開き角度を拡げる方向へ揺動する。これにより結合部５５が同期アーム４１，４２のガイドピン４１ｂ，４２ｂからの押圧力を受けて下方へ移動し、それに伴って両可動体４３，４４が結合部５５を中心に両者の開き角度を拡げる方向へ回転すると共に、昇降体４５が結合部５５と一緒に下方へ移動する。そして、結合部５５が図８の矢印Ｙ２方向の最下端位置まで移動すると、ベース部材３８の前面側で両可動体４３，４４が開き角度を最大に拡げた状態で停止し、両可動体４３，４４と昇降体４５は再びステージ２８の裏面側に隠れた状態となる。
【００４５】
したがって、大当たりの期待度や大当たりの種別（通常当たりや確変当たり）等に応じてモータ３９，４０を制御することにより、昇降体４５だけを表示画面２７ａの前方下部領域近傍に出入させたり、昇降体４５と両可動体４３，４４を表示画面２７ａの前方近傍から表示画面２７ａの上部領域に亘って出入させることが可能となる。例えば、表示画面２７ａ上で行われる演出用図柄の変動開始時などに、両同期アーム４１，４２を小刻みに揺動させると、昇降体４５がステージ２８の裏面側から表示画面２７ａの下部領域に繰り返し出入するという可動演出を行わせることができる。また、大当たりの期待度が高いスーパーリーチ時などに、両同期アーム４１，４２を一気に揺動させることにより、左右の可動体４３，４４が昇降体４５と一緒にステージ２８の裏面側から表示画面２７ａに現れた後、両可動体４３，４４が表示画面２７ａの前方で合体するというインパクトの高い可動演出を行わせることができる。そしてこのとき、可動体４３，４４の間から表示画面２７ａからの光が漏れ出ることはなく、カバープレート７０，７１に形成された光透過部を介した発光演出をより鮮明に表現することが可能となる。
【００４６】
以上説明したように、本発明の実施形態例に係る可動役物装置２６では、結合部５５で開閉可能に連結された一対の可動体４３，４４を両者の開き角度を拡げた状態でベース部材３８側に収納しておき、この状態でモータ３９，４０を駆動源として一対の回転体４６，４７を互いに逆向きに回転すると、これら回転体４６，４７の回転に伴って一対の同期アーム４１，４２が扇形ギア４１ａ，４２ａを中心に逆向きに回転し、結合部５５が両同期アーム４１，４２からの押圧力を受けて上方へ押し出されることにより、両可動体４３，４４が両者の開き角度を狭めながら演出表示装置２７の表示画面２７ａの前方に露出するようになっている。したがって、比較的全長が長くて大きな可動体４３，４４を用いているのにも拘わらず、これら可動体４３，４４を両者の開き角度を拡げた状態でベース部材３８側に収納したり、両可動体４３，４４を対向させた状態で表示画面２７ａの前方に露出させることができ、大きな可動体４３，４４が表示画面２７ａに出入するというインパクトの高い可動態様を実現することができる。
【００４７】
また、本実施形態例に係る可動役物装置２６では、両可動体４３，４４の結合部５５に昇降体４５を回転可能に軸支し、一対の補助アーム５８，５９に形成したギア５８ａ，５９ａの中心部をこの昇降体４５に回転可能に軸支すると共に、これらギア５８ａ，５９ａ同士を噛合させ、かつ、両可動体４３，４４に設けた突起４３ｂ，４４ｂを補助アーム５８，５９のガイド孔５８ｂ，５９ｂに挿入しているため、両可動体４３，４４をベース部材３８側に隠したまま昇降体４５だけを表示画面２７ａに出入させたり、両可動体４３，４４と昇降体４５を一緒に表示画面２７ａに出入させることが可能となり、バリエーションに富んだ可動演出を行うことができる。
【００４８】
また、本実施形態例に係る可動役物装置２６では、一対の保持アーム５６，５７の両端部を可動体４３，４４の外縁部と同期アーム４１，４２の中央部に回転可能に軸支しているため、同期アーム４１，４２の揺動動作に伴って可動体４３，４４をがたつきのない状態でスムーズに開閉動作させることができる。しかも、これら保持アーム５６，５７を中空構造にして図示せぬワイヤーハーネスを挿通し、このワイヤーハーネスを介して可動体４３，４４や昇降体４５に収納された回路基板上のＬＥＤに電力を供給するようにしたので、保持アーム５６，５７に、両可動体４３，４４のがたつきを抑制するという機能だけでなく、ワイヤーハーネスの引き回しルートを確保するという機能を持たせることができる。
【００４９】
なお、上記実施形態例では、モータ３９，４０の出力軸に固着した歯車５０，５１と回転体４６，４７との間に中継ギア４８，４９を介設させることにより、モータ３９，４０を駆動源として両回転体４６，４７が互いに逆向きに回転する構成となっているが、中継ギア４８，４９の代わりに一対のスライド部材を使用し、これらスライド部材をベース部材３８に左右方向へ移動可能に支持すると共に、各スライド部材の上下両端面に設けたラックを歯車５０，５１と回転体４６，４７とに噛合させるようにしても良い。
【００５０】
また、上記実施形態例では、可動役物装置２６の構成部材であるベース部材３８や両可動体４３，４４等を演出表示装置２７の下方位置に配設し、ステージ２８の裏面側に隠された両可動体４３，４４や昇降体４５を上方へ移動して表示画面２７ａの前方へ露出させる場合について説明したが、これとは逆に、可動役物装置２６を演出表示装置２７の上方位置に配設し、装飾枠２５の上壁部側に隠された両可動体４３，４４や昇降体４５が下方へ移動（落下）して表示画面２７ａの前方へ露出するようにしても良い。
【００５１】
以下、図１２を参照して、光遮蔽手段が形成されたレンズプレート６８，６９の変形例について説明する。同図に示すように、本例に係るレンズプレート６８，６９には、それぞれ外側面６８ｃ，６９ｃとは反対側に位置し、ＬＥＤと対向する内側面が傾斜面６８ｄ，６９ｄとして形成されている点で異なる。
傾斜面６８ｄ，６９ｄは、後方に向かって漸次ＬＥＤより離間する面として形成されており、複数の矢印Ｘ２に示すように、ＬＥＤから照射された光を前方に向けて屈折させる機能を有する。つまり、傾斜面６８ｄ，６９ｄは、可動体４３，４４の閉鎖動作時において互いに左右方向に対向する外側面６８ｃ，６９ｃと相俟ってレンズとして機能し、当該傾斜面６８ｄ，６９ｄが形成されることにより光遮蔽手段の存在によって外部からの光が遮蔽される外側面６８ｃ，６９ｃ間にＬＥＤの光を導入することができ、当該導入された光を光源として、カバープレート７０，７１に形成された光透過部を介した発光演出をより鮮明に表現することが可能となる。
【００５２】
以下、図１３を参照して上述の光遮蔽手段を適用可能な他の可動体の例について説明する。同図に示すように、本例に係る一対の可動体４３Ａ，４４Ａは、駆動機構９０の動作によって表示画面２７ａの前方において左右方向（Ｘ１−Ｘ２方向）にスライド移動可能に構成されている。
駆動機構９０は、モータホルダ９１ａ，９２ａと、左右方向に延在する一対のシャフト９４ａ，９５ａと、シャフト保持部９８ａ，９９ａとから概略構成されている。
モータホルダ９１ａ，９２ａにはそれぞれ、モータ３９，４０が取り付けられる。一方のモータ３９の出力軸に取り付けられた図外の歯車は、当該歯車の後方においてモータホルダ９１ａによって軸支された中間歯車３９ａと噛み合い、モータ３９の回転力がシャフト９５ａの一端部に取り付けられた従動歯車３９ｂを介して伝達される。他方のモータ４０の出力軸に取り付けられた歯車４０ａは、シャフト９４ａの一端部に取り付けられた従動歯車４０ｂと直接噛み合い、その回転力が伝達される。
【００５３】
シャフト９４ａ，９５ａは、互いに平行、かつ前後方向に位置ずれした状態で左右方向に延在する棒状体である。シャフト９４ａ，９５ａにはその延在方向に沿って螺旋状のネジ部が施されており、当該ネジ部が可動体４３Ａ，４４Ａの下部において突出する摺動プレート１００ａ，１０１ａに形成された円筒状の案内部１０２ａ，１０３ａと螺合する。シャフト９４ａ，９５ａの他端部は、当該シャフト９４ａ，９５ａを回転可能に保持するシャフト保持部９８ａ，９９ａによって保持される。シャフト保持部９８ａ，９９ａ及びモータホルダ９１ａ，９２ａは、前述の実施形態に係るベース部材３８のようなステージ２８の裏面側に位置して外部から見えない部材に対して止めねじ等の固定手段によって固定されている。また、可動体４３Ａ，４４Ａの上部は、左右方向に架設された図外の案内シャフトによってスライド自在に係止されており、モータ３９，４０の回転によって表示画面２７ａを左右方向にスライド動作する可動体４３Ａ，４４Ａを案内する。
【００５４】
摺動プレート１００ａは、可動体４３Ａの下端部より前方に延出する板体であって、その前端部には円筒状の案内部１０２ａが形成される。案内部１０２ａは、中心がシャフト９４ａの軸心と一致する左右方向に長い円筒体であって、その内周面にはシャフト９４ａに形成されたネジ部と螺合するネジ部が形成される。摺動プレート１０１ａは、可動体４４Ａの下端部より下方に延出する板体であって、その下端部には、案内部１０２ａと同様の案内部１０３ａが形成されている。
【００５５】
上記駆動機構９０を構成するモータ３９，４０がともに一方向に回転することにより、可動体４３Ａ，４４Ａは、表示画面２７ａの左右方向中央部において互いに接近し、閉鎖状態となることにより単一のパネル体を構成する。図１４は、一対の可動体４３Ａ，４４Ａが合体した状態を示す横断面図（図１３のＢ−Ｂ断面）である。
【００５６】
同図に示すように可動体４３Ａ，４４Ａは、縦長な五角形状を呈する保持プレート１１０，１１１と、当該保持プレート１１０，１１１の前面側に収容され、五角形状を呈する回路基板１１４，１１６と、当該回路基板１１４，１１６の前面側に位置するレンズプレート１１８，１１９と、保持プレート１１０，１１１と前後方向に係合し、回路基板１１４，１１６及びレンズプレート１１８，１１９をそれぞれ前方から覆うカバープレート１２０，１２１とを主たる構成としてなる。
【００５７】
可動体４３Ａ，４４Ａにおいて、光遮蔽手段の一部を構成する第１遮蔽凸部８０は、前述の実施形態とは異なり、保持プレート１１１の側壁１１１ａに設けられている。具体的には、第１遮蔽凸部８０は、側壁１１１ａの外側面１１１ｂから、保持プレート１１０の側壁１１０ａの外側面１１０ｂに向かって突出するとともに、側壁１１１ａの長手方向に沿って一定の突出寸法Ｌ１を有して連続して延在する。
【００５８】
一方、光遮蔽手段の一部を構成する第２遮蔽凸部８５は、上記実施形態におけるものと同様に、カバープレート１２１と対比した場合に左右方向の幅が僅かに長く設定された部位（図１４の二点鎖線参照）であり、カバープレート１２１の側面１２１ａが後方のレンズプレート１１９における側壁１１９ａの外側面１１９ｂと略面一で終端しているのに対して、第２遮蔽凸部８５は、後方のレンズプレート１１８の側壁１１８ａの外側面１１８ｂを超えて終端している。
【００５９】
そして、光遮蔽手段を上記のように形成した場合であっても、上記実施形態における光遮蔽手段と同様に、閉鎖状態にある両可動体４３Ａ，４４Ａの後方に位置する演出表示装置２７の表示画面２７ａの光は、互いに重複領域Ｒ１を有する第１遮蔽凸部８０及び第２遮蔽凸部８５とによって遮蔽されるため可動体４３Ａ，４４Ａの間から光が前方に漏れだすことが防止される。
【００６０】
以上説明したとおり、本発明に係る光遮蔽手段は、その動作方向，駆動手段に関わらず、互いに接近し、接近した状態で表示画面の全部又は一部を隠匿するものであれば、いかなる形態に係る可動体にも適用可能である。そして、複数の可動体において、互いに接近して対向する側壁に対して、互いに重複領域Ｒ１を有する第１遮蔽凸部８０及び第２遮蔽凸部８５を設けることにより、両側壁間を介して前方に漏れだそうとする光を効果的に遮蔽することが可能となる。
上記実施形態においては、複数の可動体として一対の可動体を例として説明したが、複数の可動体の例としてはこれに限られるものではなく、例えば３つ以上の可動体を相互に接近動作させることにより、表示画面の全部又は一部を隠匿するような形態であってもよい。そしてこの場合には、互いに接近して対向する側壁の箇所数Ｎが、可動体の枚数から１減じた数（Ｎ＝可動体枚数―１）となるため、当該互いに接近して対向する側壁の箇所数Ｎに応じて上記第１遮蔽凸部８０及び第２遮蔽凸部８５を設ければよい。
また、上記各実施形態においては、複数の可動体を左右方向に移動可能とし、左右方向に対向する両壁部（側壁）に対して第１遮蔽凸部８０及び第２遮蔽凸部８５を設ける構成としたが、複数の可動体、或いは複数の可動体の一部を上下方向に移動可能とし、上下方向に対向する両壁部（上壁，下壁）に対して第１遮蔽凸部８０及び第２遮蔽凸部８５を設ける構成としてもよい。
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００６１】
６  遊技盤，２３  遊技領域，２４  センター役物，２５  装飾枠，
２６  可動役物装置，２７  演出表示装置，２７ａ  表示画面，
２８  ステージ，３８  ベース部材，３８ａ，３８ｂ  逃げ孔，３９，４０  モータ，
４１，４２  同期アーム，４１ａ，４２ａ  扇形ギア，４１ｂ，４２ｂ  ガイドピン，
４１ｃ，４２ｃ  長孔，４３，４４  可動体，４３ａ，４４ａ  カム孔，
４３ｂ，４４ｂ  突起，４５  昇降体，４６，４７  回転体，
６０，６１  保持プレート，６４，６５  回路基板，６８，６９  レンズプレート，
７０，７１  カバープレート，８０  第１遮蔽凸部，
８５  第２遮蔽凸部，Ｒ１  重複領域。
【図１】
2015047447.tif 000003
【図２】
2015047447.tif 000004
【図３】
2015047447.tif 000005
【図４】
2015047447.tif 000006
【図５】
2015047447.tif 000007
【図６】
2015047447.tif 000008
【図７】
2015047447.tif 000009
【図８】
2015047447.tif 000010
【図９】
2015047447.tif 000011
【図１０】
2015047447.tif 000012
【図１１】
2015047447.tif 000013
【図１２】
2015047447.tif 000014
【図１３】
2015047447.tif 000015
【図１４】
2015047447.tif 000016